(57)【要約】  レセプタクルが、少なくとも１つのセンサ要素を有する吸収性物品に電子機器用筐体を接続するために提供され、このレセプタクルは、ベース面を有するベースフレームと、前記筐体を前記ベース面に対して所定の係合位置に保持するための筐体保持部材と、前記ベース面に対して前記係合位置から離れるように移動可能なように配置され、前記ベース面から前記係合位置に向かって突出するように付勢された、前記係合位置に向かって方向づけられた少なくとも１つの接点支持面と、を備える。吸収性物品及びその製造方法、並びにレセプタクルを使用した吸収性物品の管理システムもまた提供される。
2016522023.tif 000002
【特許請求の範囲】
【請求項１】
少なくとも１つのセンサ要素を有する吸収性物品に電子機器用筐体を接続するためのレセプタクルであって、
ベース面を有するベースフレームと、
前記筐体を前記ベース面に対して所定の係合位置に保持するための筐体保持部材と、
前記ベース面に対して前記係合位置から離れるように移動可能なように配置され、前記ベース面から前記係合位置に向かって突出するように付勢された、前記係合位置に向かって方向づけられた少なくとも１つの接点支持面と、
を備えるレセプタクル。
【請求項２】
前記レセプタクルはタブ又は指部を備え、前記タブ又は指部は前記ベースフレームから延びるとともに、前記タブと、前記ベースフレームと、の間の分岐合流点から離れた前記タブ部材上の所定の位置に接点支持面を提供することを特徴とする請求項１に記載のレセプタクル。
【請求項３】
前記タブ又は指部は、前記ベース面に対して曲がるように配置されていることを特徴とする請求項２に記載のレセプタクル。
【請求項４】
前記タブ又は指部は、導電体を前記接点支持面に対して位置合わせするための導電体ガイドを備えることを特徴とする請求項２又は３に記載のレセプタクル。
【請求項５】
前記導電体ガイドは、前記タブと、前記ベースフレームと、の間の分岐合流点から離間する前記タブ又は指部の端部にノッチを備えることを特徴とする請求項４に記載のレセプタクル。
【請求項６】
前記ベースフレームは、前記タブと、前記ベースフレームと、の間の分岐合流点に、又はその近傍に、ベース導電体ガイドを備えることを特徴とする請求項２〜５のいずれか一項に記載のレセプタクル。
【請求項７】
前記ベース導電体ガイドはノッチを備えることを特徴とする請求項６に記載のレセプタクル。
【請求項８】
前記タブ又は指部は、前記ベース部材から、前記筐体の前記レセプタクルとの係合方向に延びることを特徴とする請求項２〜７のいずれか一項に記載のレセプタクル。
【請求項９】
前記接点支持面は、導電性を有することを特徴とする請求項１〜８のいずれか一項に記載のレセプタクル。
【請求項１０】
前記レセプタクルは、前記筐体の前記レセプタクルとの係合方向を制限するためのガイドを備えることを特徴とする請求項１〜９のいずれか一項に記載のレセプタクル。
【請求項１１】
前記ベースフレームは、前記接点支持面へ延びる導電体の、前記ベースフレームに対する動きを制限するための導電体クランプを備えることを特徴とする請求項１〜１０のいずれか一項に記載のレセプタクル。
【請求項１２】
前記クランプは第１のフレーム部分と、第２のフレーム部分と、を備え、前記第１のフレーム部分は第１のクランプ面を有し、前記第２のフレーム部分は第２のクランプ面を有し、前記第１のフレーム部分と、前記第２のフレーム部分とは、前記第１のクランプ面と、第２のクランプ面と、の間から前記接点支持面へ延びる導電体をクランプするように係合可能であることを特徴とする請求項１１に記載のレセプタクル。
【請求項１３】
前記第１のフレーム部分は、前記筐体保持部を提供し、前記第２のフレーム部分は、前記接点支持面を提供することを特徴とする請求項１２に記載のレセプタクル。
【請求項１４】
前記第２のクランプ面は、前記係合位置に面することを特徴とする請求項１３に記載のレセプタクル。
【請求項１５】
位置合わせの前に前記第１のフレーム部分と第２のフレーム部分とを相対的に位置合わせするために、前記第１及び第２のクランプ部分のうちの一方は、位置合わせ用突起を備え、前記第１及び第２のクランプ部分のうちの他方は、対応する位置合わせ用孔を備えることを特徴とする請求項１２〜１４のいずれか一項に記載のレセプタクル。
【請求項１６】
前記第１のフレーム部分は第１の補助的なクランプ面を有し、前記第２のフレーム部分は第２の補助的なクランプ面を有し、前記第１の補助的なクランプ面及び前記第２の補助的なクランプ面は、前記第１のクランプ面と、前記第２のクランプ面と、の間から、前記接点支持面を介して延びる導電体をクランプするように配置されていることを特徴とする請求項１２〜１５のいずれか一項に記載のレセプタクル。
【請求項１７】
前記第１のフレーム部分は孔を有し、前記第２のフレーム部分は、接点支持面を支持する挿入部分を有し、前記挿入部分は、前記第１のクランプ面から離間する方向へ突出して、前記第１のフレーム部分と前記第２のフレーム部分とが係合するときに、前記孔の中へ延在することを特徴とする請求項１３〜１６のいずれか一項に記載のレセプタクル。
【請求項１８】
前記挿入部分と、前記孔のリムと、のうちの一方には保持クリップが設けられ、前記挿入部分と、前記孔の前記リムと、のうちの他方には保持リップが設けられ、前記保持クリップと、前記保持リップと、は、前記第１のフレーム部分と、前記第２のフレーム部分と、が係合するときに、前記挿入部分を前記孔の中に保持するように互いに構成されていることを特徴とする請求項１７に記載のレセプタクル。
【請求項１９】
センサ要素を有する吸収性物品であって、前記物品が、請求項１〜１８のいずれか一項に記載のレセプタクルと、前記センサ要素に電気的に接続された少なくとも１つの導電体と、を備え、前記導電体は、前記筐体が前記レセプタクルと係合するときに、前記筐体上の対応する接点に接触するために、前記少なくとも１つの接点支持面上に支持されている、吸収性物品。  
【請求項２０】
前記筐体が前記レセプタクルと係合されるときに、前記レセプタクルと協働して、記録用電子機器を前記センサ要素に接続するように適用された筐体内に格納された前記記録用電子機器を有する記録ユニットとの組み合わせの状態にある、請求項１９に記載の吸収性物品。
【請求項２１】
請求項２０に記載の組み合わせと、
前記記録ユニットによって前記センサ要素から獲得されたデータを処理するためのデータ処理装置と、
を備える、吸収性物品管理システム。
【請求項２２】
少なくとも１つのセンサ要素を有する吸収性物品を製造する方法であって、
請求項１〜１８のいずれか一項に記載のレセプタクルを用意するステップと、
前記センサ要素に電気的に接続された導電体を、前記接点支持要素によって支持するステップと、
を備える方法。
【発明の詳細な説明】
【技術分野】
【０００１】
本発明は、検知能力及び／又はデータを記録する能力を有するおむつ、生理用ナプキン、失禁用下着、医療用包帯、及びその種の物のような吸収性物品を提供するための、対応する電子機器の筐体との係合のためのレセプタクルに関する。特に、このレセプタクルは、センサを有する吸収性物品に取り付けられて、電子機器の筐体の接点へのセンサの導体の容易な接続を可能にするのに好適であるか、又はそのために提供することができる。
【背景技術】
【０００２】
おむつ、生理用ナプキン、失禁用下着、医療用包帯、及びその種の物のような吸収性物品は、幼児の世話、生理排出物の管理、身体流出液又は浸出液の管理、及び失禁の管理のような目的のための家庭環境及び施設環境の両方における広範囲に及ぶ有用性を有している。しかし、吸収性物品の使用に関連する既知の問題は、物品が吸収に対する有限容量を有することであり、このことは、もしもこの有限容量を超えると、吸収性物品を有効でなくし、例えば漏れを生じさせるか、又は少なくともさらに吸収することをできなくする。
【０００３】
したがって、そのような物品の使用者、又は介護者は、いつ吸収性物品がその吸収容量に近づくかを予測しなければならず、次いで容量に到達する前に物品を交換するステップを踏まなくてはならない。そのような吸収性物品の多くの使用者がいるが、施設環境のような比較的少ない介護者しかいない状況では、使用中の多くの吸収性物品の容量の管理が管理上の大きな負担となる。
【０００４】
吸収性物品は様々な吸収容量で入手可能であるので、使用者又は介護者は、入手可能なそれら製品から物品のどの容量を選択すべきかもまた決定しなくてはならない。例えば、ある状況では、それほど頻繁に交換されない比較的大きな容量の物品と比べて、より頻繁に交換される少ない容量の物品を選択することが好ましい場合がある。この選択に影響を与える要因は、必要とされる吸収の性質、すなわち間欠的な大量であるか、又は連続的な少量であるか、また、所定の時間間隔中に吸収されることを期待される合計容量である。
【０００５】
使用者又は介護者が、使用された吸収容量及び物品が交換される必要性の両方に関して、吸収性物品の状態を正確に予想するか又は決定することが非常に難しい場合がある。物品に対する吸収性の要求が無理なく予想可能である場合にあってさえ、記録保持及び実験の期間が、パターンを確立することができ、適切な吸収性物品が提供される前に必要とされる。
【０００６】
使用者又は介護者に、吸収性物品の飽和又は差し迫った飽和を警告することができるシステムはしたがって有益である。さらに、特定の吸収性物品の使用パターン及び特定の個人に関する一連の吸収性物品の使用パターンを所定の時間に亘ってモニタすることができるシステムは特に有益である。
【０００７】
そのようなシステムは、埋め込まれたセンサを有する吸収性物品の形態をとることができ、これらセンサは長時間に亘ってセンサデータをモニタし記録するために記録ユニットに接続される。センサは、例えば湿度センサとすることができる。吸収性物品の吸収容量が飽和に近づくか、又は超えた場合には、使用者又は介護者は、記録されたセンサデータに基づいて吸収性物品が交換を必要としていることの警報を受けることができる。
【０００８】
また、特定の使用者から長時間に亘って得られたデータは、その使用者の健康と、その使用者に対する長期間に亘る吸収性物品の妥当性との両方をモニタするために使用することができ、使用者の介護のためのより良い情報を提供するために使用することができる。例えば、失禁のような、物品の飽和をもたらす事象を予測することができ、排泄行動のような行動を、事象が生じる前に取ることができる。
【０００９】
１つの例示のシステムが図７に示されており、図７では、おむつとして例示され、腰部バンド４１０及び吸収性領域４２０を有する吸収性物品４００には、腰部バンド４１０に取り付けられた記録ユニット３００であって、この記録ユニット３００から延びて吸収性領域を通過する、検知ワイヤ４３０の形状の検知要素を有する記録ユニット３００が設けられている。検知ワイヤ４３０は、例えばワイヤ間の電導度の変化を検知することによって湿気を検知するように使用することができる。検知ワイヤは、例えば絶縁体を設けることによってその一部のみを吸収性領域に露出することができ、検知の領域を局所化することができる。図示された特定の配線パターンは全体として例示であり、検知の要求に応じて選択される。
【００１０】
電源、プロセッサ、メモリー、命令記憶装置（instruction store）、データ記憶装置、通信バス、及びデータリンクインターフェースのようなデータを記録する電子機器を備え、記憶し、プロセスし、及び／又は検知ワイヤから得られたデータを転送するように協働する記録ユニット３００は、データリンク５００によってデータレシーバ６００に接続されている。図７の例において、データリンク５００は無線データリンクであり、データレシーバ６００は無線データレシーバである。しかし、ドッキング機能（docking functionality）を記録装置３００と、データレシーバ６００として機能するドッキングステーションとの間に設けることができ、記録装置３００がドッキングステーションの中に配置される際に、記録装置３００に記録されたデータを転送することもまた可能である。さらなる代替形において、データリンク５００を携帯電話デットワーク上に設けることができ、この場合には、データレシーバ６００を携帯電話のベースステーションとして実装することができる。
【００１１】
データレシーバ６００に受け取られたデータは次いで、データリンク８３０によって相互接続されたコンピュータターミナル８１０及び出力装置８２０として例示されているデータ処理装置８００へ、さらなるデータリンク７００によって転送される。ここで、コンピュータターミナル８１０は、汎用データ処理装置の例であり、データリンク５００及び７００、並びにデータレシーバ６００を介して記録ユニット３００から受け取られたセンサデータの処理を行い、これらデータに基づいて出力装置８２０を介して、例えば警告を発すること、予想、又は統計処理による行動をとる。ここで、出力装置はラインプリンタとして示されているが、例えば、限定することなく、ハードコピープリンタ、画像表示ユニット、画像警告パネル、又は聴覚的出力装置からなる別の形とすることができる。
【００１２】
このようなシステムは、吸収性物品の使用者の管理のための強力なツールを提供することができる。
【００１３】
しかし、吸収性物品は従来から、衛生及び利便性の理由で使い捨ての吸収性物品である。再使用可能な吸収性物品が知られているが、それらは、とりわけ経済性及び衛生の理由で、特に施設環境及び医療環境においてまれにしか使用されていない。
【００１４】
したがって、図７の構成では、記録ユニット３００がセンサワイヤ４３０に接続され、センサワイヤ４３０が物品４００を通じて延びているので、吸収性物品４００が使用後に廃棄される場合には記録ユニット３００もまた廃棄されなければならない。しかし、記録ユニット３００は通常、製造するために物品４００よりもはるかに経費が掛かる。このように、図７のシステムは、特に長時間作動させるためには非常に高価である場合がある。さらに、電子機器廃棄物の繰り返しの廃棄は環境的に不健全である。さらにまた、物品４００とともに記録装置３００を廃棄することは、記録装置の付いた廃棄されるおむつを交換するために使用者に記録装置の付いた新しいおむつが提供される場合に、記録装置が正しく初期化され、使用者への記録装置のデータのリンクが正しく記録されるかを確実とすることにおける、使用者、介護者、又は施設に対するデータ管理の問題をもたらす。
【００１５】
出願人は、その内容が法律によって許容される限度まで参照によってここに組み込まれる国際特許出願ＰＣＴ／ＥＰ２０１３／０５５６８６号明細書に開示された、協働するレセプタクルと電子機器用筐体とのシステムを開発し、レセプタクルは吸収性物品に設けられ、検知又はデータ記録用電子機器は筐体に設けられている。そのようなシステムは、吸収性物品が交換される際の、レセプタクルへの容易な接続及びレセプタクルからの容易な取り外しを提供する。
【００１６】
しかし、電子機器用筐体のためのレセプタクルを、センサ要素を有する吸収性物品に接続する際に、センサ要素又はそれから延びる導電体が、筐体上の対応する接点への電気的接続のために、レセプタクル内に容易に位置づけられることを確実にする必要がある。さらに、筐体が対応するレセプタクルに係合する際に、筐体上の電気接点が、そこから延びるセンサ要素又は導電体にしっかりと確実に電気的に接続されていることを保証する必要がある。
【発明の概要】
【発明が解決しようとする課題】
【００１７】
本開示は、この問題に対する解決策を提供する。
【課題を解決するための手段】
【００１８】
第１の特徴によれば、電子機器の筐体を少なくとも１つのセンサ要素を有する吸収性物品に接続するためのレセプタクルが提供され、このレセプタクルは、ベース面を有するベースフレームと、筐体をベース面に対して係合位置に保持するための筐体保持部材と、ベース面に対して係合位置から離れるように移動可能なように配置され、ベース面から係合位置に向かって突出するように付勢された、係合位置に向かって方向づけられた少なくとも１つの接点支持表面と、を備える。
【００１９】
いくつかの実施形態では、レセプタクルはタブ又は指部を備え、タブ又は指部はベースフレームから延びるとともに、タブと、ベースフレームと、の間の分岐合流点から離れたタブ部材上の所定の位置に接点支持面を提供する。
【００２０】
いくつかの実施形態では、タブ又は指部は、ベース面に対して曲がるように配置されている。
【００２１】
いくつかの実施形態では、タブ又は指部は、導電体を接点支持面に対して位置合わせするための導電体ガイドを備える。
【００２２】
いくつかの実施形態では、導電体ガイドは、タブと、ベースフレームと、の間の分岐合流点から離間するタブ又は指部の端部にノッチを備える。
【００２３】
いくつかの実施形態では、ベースフレームは、タブと、ベースフレームと、の間の分岐合流点に、又はその近傍に、ベース導電体ガイドを備える。
【００２４】
いくつかの実施形態では、ベース導電体ガイドはノッチを備える。
【００２５】
いくつかの実施形態では、タブ又は指部は、ベース部材から、筐体のレセプタクルとの係合方向に延在する。
【００２６】
いくつかの実施形態では、接点支持面は導電性を有する。
【００２７】
いくつかの実施形態では、レセプタクルは、筐体のレセプタクルとの係合方向を制限するためのガイドを備える。
【００２８】
いくつかの実施形態では、ベースフレームは、接点支持面へ延びる導電体の、ベースフレームに対する動きを制限するための導電体クランプを備える。
【００２９】
いくつかの実施形態では、クランプは第１のフレーム部分と、第２のフレーム部分とを備え、第１のフレーム部分は第１のクランプ面を有し、第２のフレーム部分は第２のクランプ面を有し、第１及び第２のフレーム部分は、第１及び第２のクランプ面間から接点支持面へ延びる導電体をクランプするように係合可能である。
【００３０】
いくつかの実施形態では、第１のフレーム部分は筐体保持部を提供し、第２のフレーム部分は接点支持面を提供する。
【００３１】
いくつかの実施形態では、第２のクランプ面は、係合位置に面する。
【００３２】
いくつかの実施形態では、位置合わせの前に第１及び第２のフレーム部分を相対的に位置合わせするために、第１及び第２のクランプ部分のうちの一方は位置合わせ用突起を備え、第１及び第２のクランプ部分のうちの他方は対応する位置合わせ用孔を備える。
【００３３】
いくつかの実施形態では、第１のフレーム部分は第１の補助的なクランプ面を有し、第２のフレーム部分は第２の補助的なクランプ面を有し、第１及び第２の補助的なクランプ面は、第１及び第２のクランプ面間から、接点支持面を介して延びる導電体をクランプするように配置されている。
【００３４】
いくつかの実施形態では、第１のフレーム部分は孔を有し、第２のフレーム部分は接点支持面を支持する挿入部分を有し、挿入部分は、第１のクランプ面から離間する方向へ突出して、第１のフレーム部分と第２のフレーム部分とが係合するときに、孔の中へ延在する。
【００３５】
いくつかの実施形態では、挿入部分と、孔のリムとのうちの一方には保持クリップが設けられ、挿入部分と、孔のリムとのうちの他方には保持リップが設けられ、保持クリップと保持リップとは、第１のフレーム部分と第２のフレーム部分とが係合しているときに、挿入部分を孔の中に保持するように互いに構成されている。
【００３６】
第２の観点によれば、センサ要素を有する吸収性物品が提供され、この物品は、第１の観点によるレセプタクルと、センサ要素に電気的に接続された少なくとも１つの導電体とを備え、導電体は、筐体がレセプタクルと係合するときに、筐体上の対応する接点に接触するために、少なくとも１つの接点支持面上に支持されている。
【００３７】
第３の観点によれば、筐体がレセプタクルと係合されるときに、レセプタクルと協働して記録用電子機器をセンサ要素に接続するように適用された筐体内に格納された記録用電子機器を有する記録ユニットとの組み合わせの状態にある、第２の観点による吸収性物品が提供される。
【００３８】
第４の観点によれば、第３の観点による組み合わせと、記録ユニットによってセンサ要素から獲得されたデータを処理するためのデータ処理装置と、を備える吸収性物品管理システムが提供される。
【００３９】
第５の観点によれば、少なくとも１つのセンサ要素を有する吸収性物品を製造する方法が提供され、この方法は、第１の観点によるレセプタクルを用意するステップと、センサ要素に電気的に接続された導電体を、接点支持要素によって支持するステップと、を備える。
【００４０】
本発明のより良い理解のため、及び本発明を効果的に使用するために、添付の図面が例示目的のみの方法によって参照される。
【図面の簡単な説明】
【００４１】
【図１】レセプタクルに係合した状態にある電子機器の筐体を示す図である。
【図２】レセプタクルの上面図である。
【図３】レセプタクルの第１のベースフレーム部分の後部斜視図である。
【図４】レセプタクルの第２のベースフレーム部分を示す図である。
【図５】図４の第２のベースフレーム部分の指部に沿った横断面を示す図である。
【図６】レセプタクルの分解組立図であり、露出した導電体を有するコネクタテールがどのようにレセプタクル内に配置されるかを示す図である。
【図７】失禁モニタシステムを図示するシステムダイアグラムであり、そのシステムでは、本開示のレセプタクルを採用することができる。
【発明を実施するための形態】
【００４２】
本発明の実施形態が、図面を参照しつつ記載される。
【００４３】
吸収性物品及び本開示のモニタシステムの構成は、図７の構成に開示されているものと同様とすることができる。しかし、記録ユニット３００は、複数部分からなる形態、好ましくは図１に示されるような２つの部分からなる形態で設けられている。
【００４４】
図１は筐体１００と対応するレセプタクル２００とを示している。筐体１００はセンサ４３０をモニタするための電子機器を格納しており、レセプタクル２００は、筐体１００を吸収性物品４００に取り外し可能に取り付けるための筐体用取り付け点を提供する。ここでは、電子機器は、電源、プロセッサ、メモリー、命令記憶装置、データ記憶装置、通信バス、及びデータリンクインターフェースを含むことができ、これらは協働して、記憶し、処理し、及び／又はセンサワイヤから得られたデータを転送する。これを容易化するために、センサ４３０はレセプタクル２００の末端領域における電気接点２１１で終端するように配置されており、この末端領域においてセンサワイヤ４３０は電気接点で終端する。筐体１００には、筐体１００がレセプタクル２００に係合する際に、レセプタクル２００の接点が筐体１００の接点に電気的に接触するように、対応する接点が設けられている。したがって、レセプタクル２００に係合する際に、電子機器の筐体１００は、検知ワイヤ４３０と通じることができる。
【００４５】
末端領域の構造及び機能が、以下に、より詳細に記載される。
【００４６】
また、レセプタクル２００及び筐体１００は、対応するガイド及び係合手段を提供し、それによって筐体１００をレセプタクル２００内に容易に導入し、レセプタクル内に堅固に保持することができる。後述される特徴もまた、筐体１００を使用者が簡便な態様で、好ましくは片手で、レセプタクル２００から取り外すことができるように設けられている。このことは、使用者が介護者の支持に従順ではない場合が多いので、特に施設環境において重要であり、したがって筐体１００ができるだけ簡単に、使用者がレセプタクル又は筐体を見る必要さえなく、レセプタクル２００に正しく係合され、取り外されることが好都合である。片手による係合及び取り外しを可能にすることは、介護者のもう片方の手が自由であって、別の仕事、例えば記録を取り、又は使用者が従順であるように促すことを実行することを可能にする。
【００４７】
係合した構成を達成するために、筐体１００は適切に方向づけられ、レセプタクル２００と位置合わせされ、次いで、係合が達成されるまで、レセプタクルに向かって係合する方向に平行移動されて、係合した構成となる。上述に参照した国際特許出願ＰＣＴ／ＥＰ２０１３／０５５６８６号明細書に、より十分に記載されているように、筐体１００とレセプタクル２００との両方の様々な特徴が、協働してそのような係合プロセスと、その逆の解放プロセスと、を簡便且つ確実に可能とする。
【００４８】
図２は上から見たレセプタクル２００を示す。レセプタクル２００はベース面２２０を有し、このベース面に沿って筐体１００の表面が係合方向に平行移動して、係合した構成を達成する。ベース面２２０は、係合方向が存在する平面を画定し、係合プロセス中にはレセプタクルに対する筐体の位置を、その平面（以後、係合平面と称する）内の移動に拘束する。ベース面は平坦かつ連続的とすることができるが、図２の構成では、ベース面はリブ２３０の上面によって画定され、これらリブ２３０の間には陥凹部があって、レセプタクル２００の質量を減少させるとともに、末端領域として作用するための領域を提供している。リブ２３０は、レセプタクルの吸収性物品に面する下面を画定する本質的に平坦な平面から上方に延びる。しかし、別の構成においては、平坦な連続的なベース面のような、ベース面の異なる構成が可能である。
【００４９】
本実施形態では平坦なプレートのベース面に対向する側である、レセプタクルの下面には接着剤のパッチが設けられて、レセプタクルを吸収性物品の表面に堅固に取り付けることを可能にしている。しかし、これは例示にすぎず、鍵ホック止め式の固定具又は糸若しくはリベット用の穴のような他の固定手段を、レセプタクルを吸収性物品に取り付けるために考えることができる。接着剤パッチが吸収性物品にレセプタクルを固定するために使用される場合には、例えば接着剤パッチに剥離紙でカバーされた吸収性物品に面する表面を有する接着剤パッチを適用するか、又はその後に接着剤をレセプタクルが吸収性物品に提供される点にスプレー若しくは液体として適用するかによって、製造時に吸収性物品にレセプタクルを固定するための接着剤パッチをレセプタクルに設けることができる。
【００５０】
また、レセプタクル２００には、制限される係合平面内のレセプタクル２００に対する筐体１００の動きを可能にする特徴が設けられる。特に、レセプタクル２００は、ベース平面の対向する側部上の係合平面に平行な面内でレセプタクルの側壁から内側に向かって延びるガイドレール２４０a、２４０ｂを有する。これらレール２４０a、２４０ｂは、図３において最も明瞭に見ることができるように、ベース面上にベース面に垂直な方向に立ち上がり、側壁に支持され、筐体１００の対応するガイド溝と協働するように配置されている。ガイドレール２４０a、２４０ｂの提供は、係合方向の周りの回転、係合方向に対して垂直な方向の周りの回転、及び係合平面に垂直な平面における並進を制限する。また、ガイド溝及びレールの使用は、特に筐体１００の係合平面中にあるが係合方向に対して垂直である軸の回りの回転に対する当初の位置ずれを、筐体１００及びレセプタクル２００が係合状態になるようにスムーズに修正することを可能にする。このことは、係合方向への移動方向のスムーズな修正が、筐体が確実な係合に対して好適な配向に動かされる際に、筐体の緩やかな再配向として介護者に伝達されるので、片手での係合を可能にするために特に好都合である。
【００５１】
ガイドレール２４０a及び２４０ｂは互いに対して傾斜しつつ、係合平面に対して平行を維持している。特に、ガイドレール２４０a、２４０ｂは、係合方向において合流しようとするように傾斜し、それによってガイドレール２４０a、２４０ｂは、係合方向にさらに進んだガイドレール２４０a、２４０ｂの端部のそれぞれにおいて互いに近接し、係合方向において後方に向いて位置付けされているレール２４０a、２４０ｂの対向端部は、相対的により離間している。この相対的な傾斜の効果は、当初のわずかな位置ずれが、レールとの係合を阻止はしないが、筐体１００とレセプタクル２００とが係合状態になる際に、レールのガイド効果が漸次増加して、正しい位置合わせがより重要な係合の最終段階中に達せられるのを確実とするように、レールのガイド効果が漸次適用されるということである。
【００５２】
また、レセプタクル２００にはロック用突起２５０a、２５０ｂが設けられ、これらロック用突起２５０a、２５０ｂは、筐体１００に形成された対応する窪みに係合するように配置されている。本実施形態において、突起２５０a、２５０ｂは、係合方向に対して対向する方向におけるレール２４０a、２４０ｂの延長部の形で形成されており、レールから小さなスペースだけ離間されている。突起２５０a、２５０ｂは、レセプタクルの側壁の一部分として形成された弾性部分それぞれによって、ベース面２２０の上にベース面に垂直な方向に持ち上げられており、弾性部分２５１a、２５１ｂは、ロック用突起それぞれが係合平面に対して垂直な面において内側及び外側に曲がるのを可能にしている。そのような構成は、レセプタクル２００における応力を減少させ、係合が達成されるとロック用突起２５０a、２５０ｂが対応するロック用窪みとの係合状態に係合することを可能にする。スナップ式ロック動作は、確実な係合を触覚的に介護者に示し、したがって十分な接点間の電気的接続が達成され、また係合方向におけるさらなる前方に向かう動きに対する抑止手段として作用する。
【００５３】
また、レセプタクル２００は係合方向におけるベース面２２０の前方端に、係合平面に対して垂直な方向においてベース面から上方に延びる壁２６０の形状の前方バリアを有する。本実施形態において、壁２６０はレール２４０a、２４０ｂを支持する側壁とともに一体的に形成されている。この壁２６０は、一旦係合位置が達成されると、窪み中へのロック用突起２５０a、２５０ｂのスナップ式ロック動作が拒絶された（disregarded）としても、筐体１００のレセプタクル２００中でのさらなる前方への動きに対する更なる停止部材として作用する。また、壁２６０は、係合方向に対向する方向、すなわち解放方向に筐体１００に不注意に適用される、筐体を解放状態にさせる外力に対するバリアを提供する。
【００５４】
勿論、レセプタクルには、任意の、又は必要に応じて変化させることができる多くの特徴がある。例えば、もし使用中にレセプタクルと筐体とが開放する力に曝される恐れがないのであれば、壁２６０をなくすことができる。もし使用者が筐体とレセプタクルとを係合のために適切に位置合わせすることができるのであれば、ガイド２４０ｂ及び２４０aを相対的に傾斜させる必要はない。実際、ガイドレール２４０a、２４０ｂをなくすことができ、ロック用突起２５０a、２５０ｂ及びベース面２２０だけに頼って筐体を係合面にガイドすることができる。代替的に、ロック用突起２５０a、２５０ｂをなくすことができるか、他の場所に設けるか、又は他の係合手段、例えば留め金若しくはクリップに置き換えることもできる。ロック用突起２５０a、２５０ｂを代替的にベース面２２０に設けるか、又はベース面に対向する面に設け、それによって少なくとも４つの側部で閉止されたレセプタクルを形成することもできる。しかし、開示された配置は、突起に当初のガイド機能を行わせて、片手での操作を容易化することにおいて有利であると考えられる。
【００５５】
確かに、ベース面の上に位置し、係合平面に実質的に平行に方向づけられた第２の面が設けられたならば、この面を、筐体１００をレセプタクル２００との適切な係合状態にするのに使用することができるので、ガイドレール２４０a及び２４０ｂ、並びにそれらを支持する壁を省略することができる。代替的に、ロック用突起２５０a、２５０ｂを有するのではなく、ロック用窪みを、対応するロック用突起のために筐体に設けることができる。場合によっては、窪み又は突起は、存在するのであれば、ロック用突起２５０a、２５０ｂのように後方に位置させるよりはむしろ、ガイドレール２４０a及び２４０ｂの前方に、係合方向に設けることが望ましい。いずれの構成も、ロック効果がただ一度だけ達成され、最終的な、安定した係合位置が得られるように設計することができる。
【００５６】
レール２４０a、２４０ｂは、相対的に傾斜させる必要はないが、そのような傾斜は現在、有利であると考えられている。実際、ベース面２２０は平坦である必要はなく、係合平面に沿って係合方向に見ると、断面で上方又は下方に湾曲させることができる。そのような面は、依然として係合面への動きを制限し、協働する下面を筐体に提供する。このような変形体すべては、本開示の技術的範囲内にあると考えられる。
【００５７】
筐体１００には、下面に電気接点が設けられ、この下面は、係合した構成においては、筐体１００がレセプタクル２００と係合しているときにレセプタクル２００のベース面２２０に対向するように配置される。いくつかの実施形態では、そのような接点は下面と同一平面にある。別の実施形態では、そのような接点は下面からわずかに突出する。またさらなる実施形態では、そのような接点はわずかに窪んでいる。本開示の実施形態において、レセプタクル２００の末端領域には接点支持面３１１が設けられ、この接点支持面は、筐体１００の下面に向かうように方向付けられるとともに、ベース面２２０に対して筐体１００の下面から離れるように移動可能である。接点支持面３１１は、ベース面２２０から電子機器用筐体１００の下面に向かって突出するように付勢され、それによって接点支持面上に配置された導電性要素が、筐体の接点との電気的接続状態になる。
【００５８】
図２に示す実施形態では、レセプタクル２００はベースフレーム２０１を有し、このベースフレーム２０１はとりわけ、ガイドレール２４０ａ、２４０ｂ、ロック用突起２５０ａ、２５０ｂ、壁２６０、及びベース面２２０を提供する。このように、ベースフレームは、その中に筐体１００を収容することができる係合スペースを画定する。図２の実施形態では、接点支持面３１１が、ベースフレームから延びて係合空間の中へベースフレーム上に突出する指部３１０の上面として設けられている。指部は、筐体のレセプタクルとの係合方向に延びるとともに、付勢力に対向する屈曲によって与えられる、ベース面に垂直に加えられる力によって下方に撓むように十分薄い。したがって、筐体１００が係合位置までベース面２２０に沿って滑動する際に、接点支持面３１１と、筐体１００の下面との間の接触は、指部をベース面に向かって逸らそうとする。
【００５９】
図２の実施形態では、指部は、末端領域内のベース面２２０に形成された窪み又は凹部３３０の内壁から延在し、それによって、指部３１０が下方に屈曲する際に、指部それぞれの一部分が、窪みに進入することができる。このことは、指部が屈曲して、接点支持面３１１が実質的にベース面２２０と同一平面上にあることを可能にする。したがって、筐体が係合方向に沿ってレセプタクルの中に滑入するときに、接点支持面３１１上に位置付けられた導電体を、筐体の下面に形成された対応する接点との接触状態にさせるとともに、その状態を維持させる。
【００６０】
いくつかの実施形態では、接点支持面それぞれが、ベース面と同一平面にあるように変位可能であることは本質的なことではない。筐体の形状に依存して、接点支持面３１１はベース面に向かって変位可能であるが、限定するわけではないが、係合した構成においてさえ、接点支持面３１１はベース面の実質的に上に留まる。
【００６１】
図２に示すように接点支持面を突出する指部の上面上に設けることによって、筐体をレセプタクルと係合させるのに必要な力は小さくなる。しかし、必要に応じて、代替的な構成が可能である。例えば、突出方向を横断する幅より突出方向に長い、複数の指部３１０を設けるのではなくむしろ、その突出方向を横断する幅より突出方向に短い１つのタブを設けることができる。そのような構成では、いくつかの導電体をタブの接点支持面上に配置することができる。しかし、そのような構成は製造しやすい場合があるが、筐体１００の接点の位置における共通の平面からの偏差をあまり許容しない。さらに、導電体が１つの共通のタブよりも複数の指部を形成するために配置させられている位置間の材料を取り除くことは、タブに対する指部の柔軟性を改善し、それによって、レセプタクルと筐体との間に必要とされる係合力を減少させる。
【００６２】
図２の実施形態では、指部３１０それぞれは、指部とベースフレーム（遠位端）との間の分岐合流点から離間する端部に、ノッチ３１２を有する。そのようなノッチを設けることによって、導電性を有する糸又はワイヤのような細長い導電体を、指部３１０の遠位端に対して決められた位置に位置させることができる。このように、ノッチは導電体ガイドとして機能する。特に、導電体が指部のベースフレームとの分岐合流点から指部３１０の遠位端まで接点支持面に沿って、及び接点支持面を超えて位置するとき、かつその位置にあるときに引張が導電体に加えられるときに、指部３１０のベース面２２０から離れるように付勢する力は、導電体をノッチの中に保持し、それによって導電体を接点支持面３１１上の比較的均一な位置に保持する。
【００６３】
また、図２に示されているように、さらなる導電体ガイド３１３がベース面の、指部３１０がベースフレームと一緒になる位置又はその近傍に設けられて、導電体ガイド３１３と導電体ガイド３１２との協働によって細長い導電体をガイドして、指部３１０の突出方向に沿って位置させる。図２の実施形態では、導電体ガイド３１３はノッチとして設けられているが、例えばそれらの間に導電体をガイドすることができる、１対のポストとして設けることもまた可能である。
【００６４】
一実施形態において、レセプタクルは、図３に示すような第１のフレーム部分２０１と、図４に示すような第２のフレーム部分３００を備える２部構成を有することができる。図３に示す第１のフレーム部分２０１は、ベース面２２０、ロック用突起部２５０ａ及び２５０ｂ、及びガイドレール２４０ａ、２４０ｂを提供し、すなわちこれら要素は、筐体１００がレセプタクル２００と堅固に係合するのを可能にし、一方で、第２のフレーム部分３００は、とりわけ接点支持面３１１及び関連する指部３１０、並びに導電体ガイド３１２及び３１３を提供する。
【００６５】
図３の配置において、第１のフレーム部分２０１は、ベース面２２０における末端領域としての開孔２９９を含む。この開口は、図４に示す第２のフレーム部分３００の挿入部分３１９を、開孔２９９内に緊密に収容することを可能にするように寸法取りされており、挿入部分３１９を下のベース面２２０とは反対のレセプタクル２００の物品に面する面から挿入することによって図２に示す構成を達成する。そのような構成は、吸収性物品に沿って延びる導電体が、第１のフレーム部分２０１の下面に沿って延び、次いで、レセプタクル２００の筐体に面する面の他の場所に現れることなく、ベース面２２０の上にその長さの部分に対して出現することを可能にする。そのような構成は、導電体が、筐体の対応する接点と接触することを必要とされる位置にのみ出現するので、筐体がレセプタクルに係合していないときに、導電体に干渉するか又は損傷させることを防止することができる。
【００６６】
図４の配置では、第２のフレーム部分３００は保持クリップ３２２ａ、３２２ｂ及び３２１ａ、３２１ｂを有し、これらクリップは、図３に示されるように、開孔２９９の周縁において第１のフレーム部分２０１に設けられた、対応する保持リップ２８２ａ、２８２ｂ、２８１ａ、２８１ｂと係合して、第２のフレーム部分３００が挿入され、次いで第１のフレーム部分２０１に下からスナップ式にぴったり合うことを可能にしている。好ましくは、クリップそれぞれは、クリップの突起のいずれかの側から材料が取り除かれた部分を有して、クリップが挿入物の残りの部分から独立して屈曲するのを可能にしている。
【００６７】
図４に示す特定の実施形態では、凹部３３０を取り巻く挿入部分３１０の上面が、周縁部分３２０が第１のフレーム部分２０１の下面に当接するときに、ベース面２２０と実質的に同一面となるように、挿入部分３１９は平坦な周縁部分３２０から突出する。さらに、保持クリップ３２１ａ、３２１ｂ、３２２ａ、３２２ｂ、及び協働する図３に示す保持リップ２８１ａ、２８１ｂ、２８２ａ，２８２ｂは相互に位置付けされ、第２のフレーム部分３００の周縁部分３２０が、第１のフレーム部分２０１の下面に当接するときにロックした係合状態になるように構成されている。
【００６８】
図４の実施形態では、第２のフレーム部分３００の周縁部分３２０はクランプ面３１６を提供し、このクランプ面は、図６に示された、第１のベースフレーム部分２０１の下面に形成された、クランプ面２９６と協働して、第２のフレーム部分３００が第１のフレーム部分２０１と係合するときに、クランプ面間を通過する導電体をクランプし、それによってクランプ面間を通過する導電体の動きを制限する。クランプ面３１６は、第２のフレーム部分３００を有する指部３１０の分岐合流部として接点支持面２１１の同じ側に形成される。したがって、クランプ面２９６と３１６との間を通過し、次いで接点支持面３１１に出現する前に、第１のフレーム部分２０１の下面に沿って延びる導電体は、協働するクランプ面２９６及び３１６による縦方向及び横方向の変位に対して固定される。そのような構成においては、タブ導電体ガイド３１２は、導電体を指部３１０の遠位端に保持するように機能する。特に、クランプ面２９６及び３１６は平面であるように図示されているが、それらは、個々の導電体を収容するための、第２のフレーム部分３００の周縁から接点支持面に向かって延びるチャネルを形成されてもよい。
【００６９】
また、補助的なクランプ面３１７が、第２のフレーム部分３００の周縁部分３２０上に指部３１０の遠位端を超えて形成されて、第１のフレーム部分２０１の下面に形成された、図６に示された補助的なクランプ面２９７と協働し、したがって、接点支持面３１１に沿ってクランプ面３１６及び２９６間に延び、導電体ガイド３１３及び３１２間を通過し、補助的なクランプ面２９７及び３１７間に少なくとも部分的に延びる導電体をクランプすることによって拘束する。ここでもまた、クランプ面２９７及び３１７は平面として図示されているが、それらもまた、個々の導電体を収容するための、第２のフレーム部分３００の周縁から接点支持面に向かって延びるチャネルを形成されてもよい。
【００７０】
図示された構成においては、クランプ面３１６及び補助的なクランプ面３１７は、指部３１０の長さ方向における接点支持面３１１の両側にある。この構成によって、導電体ガイド３１３から導電体ガイド３１２まで接点支持面３１１の長さに沿って存在し、導電体ガイドを超えて延びる導電体を、接点支持面３１１のいずれかの側にある導電体の部分でクランプすることができる。したがって、導電体の動きを窪み又は凹部３３０の両側で制限することができるだけでなく、引張を、接点支持面に沿って存在する導電体の部分に沿って提供して、導電体をガイド３１２及び３１３内に堅固に保持することもできる。
【００７１】
そのような構造の結果として、ｉ）導電体を、クランプ面３１６を横切って、導電体ガイド３１３を通じ、接点支持面３１１に沿い、導電体ガイド３１２を通じ、補助的なクランプ面３１７に沿って延びるように位置付けするステップと、ｉｉ）第２のフレーム部分３００を第１のフレーム部分２０１に、保持クリップ３２１ａ、３２１ｂ、３２２ａ、３２２ｂが対応する保持リップ２８１ａ、２８１ｂ、２８２ａ、２８２ｂに係合するまで第１のフレーム部分２０１を第２のフレーム部分３００上に押し下げることによって係合させるステップと、によって導電体を接点支持面３１１に対して固定することが容易になる。
【００７２】
指部３１０は、第２のフレーム部分３００の挿入部分３１９上に設けられ、挿入部分３１９は補助的なクランプ面３１７とクランプ面３１６との上に図５の断面図に示されているように立ち上がっているので、第１のフレーム部分２０１及び第２のフレーム部分３００の、その間にある導電体との相対的な接近は、接点支持面３１１に沿って延びる導電体の長さに沿った引張を加えようとする。
【００７３】
図４に示すように、第２のフレーム部分３００には、クランプ面３１６及び補助的なクランプ面３１７上に示されている、位置合わせ用孔３１８が設けられており、これら位置合わせ用孔３１８は、図６に示す、クランプ面２９６と補助的なクランプ面２９７上に形成された、対応する位置合わせ用突起２９８と協働するように大きさを決められ、位置付けされる。位置合わせ用孔３１８は、第１及び第２のフレーム部分の接近及び係合中の第１のフレーム部分２０１のクランプ面に平行な第２のフレーム部分３００のクランプ面の維持からのわずかなずれに対する所定の許容度を提供するために、位置合わせ用突起２９８と比べるとわずかに大きくされている。代替的に、突起を第１のフレーム部分に設け、孔を第２のフレーム部分に設けることができる。別の構成では、第２のフレーム部分３００の周縁上のガイド用突起を、孔２９９の内壁のガイド溝と協働するように配置することができ、又はその逆も可能である。
【００７４】
いくつかの構成では、図６に示されるように、それぞれが接点支持面３１１に沿って存在することを意図されている導電体１４０１を、積層テール（laminate tail）１４００に設けることが可能である。そのような構成では、吸収性物品のセンサ要素に接続された導電体は、積層構造体に接合されて、絶縁性を有する可撓性シート上にあるか、又は、互いに平行に延びる、絶縁性を有する可撓性シートからなる２つの層間に挟まれる。積層テールは導電体を摩耗若しくは変形から保護し、個々の導電体間の短絡を防止し、レセプタクルとの容易な接続のための規定された間隔で導電体を配置する。一構成において、積層テール１４００は、テールの端部を超えて突出する個々の導電体１４０１中で終端することができる。しかし、図６に示すように、積層テールの端縁間の中間部である積層テール１４００の一部分に、テールの一方の端部から離間させて窓部１４０２を設け、それによって接点支持面３１１上の配置のための導電体１４０１の一部分を露出させることも可能である。
【００７５】
図６の配置においては、積層テール１４００の長さ方向の窓部１４０２の一方の側部の積層テール１４００の第１の部分は、クランプ面２９６とクランプ面３１６との間にクランプされ、一方で積層テール１４００の長さ方向の窓部１４０２の他方の側部の積層テール１４００の第２の部分は、クランプ面２９７とクランプ面３１７との間にクランプされる。したがって、導電体１４０１それぞれの窓部に露出した部分は、指部３１０のそれぞれの接点支持面３１１に沿って存在する。
【００７６】
そのような配置によって、個々の導電体を個々の指部３１０に対して配置するための特殊な注意を払う必要が無い。むしろ、導電体１４０１が既に窓部内に正しい間隔で正しい配置にあるので、窓部１４０２が、第１のフレーム部分２０１が第２のフレーム部分と係合する前に、第２のフレーム部分３００と正しく位置合わせされることだけで十分である。この位置合わせを補助するために、テール位置合わせ孔１４０３を、積層テール上の位置合わせ用突起に対応する位置に設けることができる。それによって、孔１４０３の突起２９８との位置合わせは、導電体１４０が、接点支持面３１１に沿って、かつ導電体ガイド３１２及び３１３の中にあるように正しく位置付けされていることを確実にする。
【００７７】
図６の配置では、積層テール１４００は、レセプタクルの前面からセンサ要素まで延在しており、積層体が必要に応じて背面から延在することもまた可能である。方向にかかわらず、そのような構成を提供することによって、対応する導電体に容易に組立でき、適切に構成された筐体を容易に係合させることができるレセプタクルを提供して、レセプタクルとの確実な係合と、導電体との良好な電気的接続状態にすることが可能となる。しかし、これら利点を達成するための、別の構成もまた可能である。
【００７８】
図２及び３の配置を考慮すると、孔２９９の中に配置された個々のばね又は弾性要素によって支持されるような、接点支持面を提供することもまた可能である。
【００７９】
さらに、図２の配置はガイドレール２４０a及び２４０ｂを有して、筐体のレセプタクルとの係合方向を、ベース面と同じ平面にあるように制限するが、代替構成が可能である。例えば、ガイドレール２４０a及び２４０ｂを省略することによって、ベース面２２０に垂直な鉛直方向の係合方向を達成することができる。代替的に、ベース面に対していくつかの別の角度で延びる、鉛直に方向づけられたガイドレール、又は複数のガイドレールを設けることもできる。
【００８０】
さらに、ロック用突起２５０a、２５０ｂは、筐体１００の対応する窪みに係合するように、内側に向かって突出するように図示されているが、筐体のレセプタクルとの係合の代替的な手段が可能である。例えば、筐体は留め金、クリップ、磁石、又は接着剤によってレセプタクルに保持することができる。
【００８１】
さらに、図４及び５の構成においては、導電体は接点支持面３１１のいずれかの側の部分においてクランプされるが、導電体を接点支持面に対して固定する代替的な手段が可能である。例えば、導電体それぞれは、検知要素から所定の距離にある端部にビーズ状又はノット状部分を形成されてもよく、その部分は、導電体ガイド３１２中に引っ掛ける（hook）ことができ、引張が、検知要素の端部から、導電体のノット状又はビーズ状部分を導電体ガイドの中に維持するように加えられる。そのような引っ張りは、補助的なクランプ面３１７を設ける必要なく、クランプ面３１６を使用することによって指部３１０の長さに沿って加えることができる。代替的に、導電体は接点支持面３１１に接着することができるか、又は接点支持面３１１に埋め込むことができる。さらなる代替例は、例えばメッキ、箔を接着すること又は導電性塗料を塗布することによって、導電性部分を接点支持面３１１に設けることであり、この導電性部分に、例えば導電性塗料を使用すること、又ははんだ付けすることによって、センサ要素から延びる導電体を、導電的な方法で接合することができる。
【００８２】
本開示において、すべての指部３１０が導電体に関連する必要はない。例えば、図４に示すように、２つの追加的な指部３１４a、３１４ｂが設けられており、これら指部３１４a、３１４ｂは導電体を支持するための導電体ガイドを有するようには構成されていない。図４の実施形態においては、これら指部は金属性塗料でコーティングされた接点支持面を有し、この接点支持面は、さらなる導電性塗料のブリッジ部分を介して相互に電気的に接続されている。指部３１４a、３１４ｂの接点支持面は、筐体１００の対応する接続／切断検知接点に接触するように配置される。接続／切断接点間の短絡を検知することによって、筐体内の電気機器は、筐体が確実にレセプタクル２００に係合されているか、及び筐体の接点とレセプタクルの導電体との間の良好な電気的接触が達成されていることを決定することができる。
【００８３】
レセプタクルは、射出成形、真空成形、及びサブトラクティブ機械加工を含む、いずれかの当業で知られた適切な方法によって形成することができる。本実施形態では、ABSプラスティックにおける射出成型が好ましい。
【００８４】
本開示によれば、上述の実施形態に例示したように、薄型であるレセプタクルを提供することが可能であり、薄型のレセプタクルは、容易に導電体と係合させられ、導電体と対応する筐体の接点との間の良好な電気的接触を提供することができる。
【００８５】
特に、レセプタクルは、検知要素を有し、データ記録用又は検知用電子機器を有する筐体と協働して、図７に示される失禁管理システムの一部分を形成するように提供される吸収性物品への提供のためには好適である。
【００８６】
特に、比較的廉価であり電子機器を含まないレセプタクル２００は、個々人による使用のための一連のおむつへの複数の例として設けられる場合があり、一方で、図１のシステムとは対照的に、特定の個人に関連するただ１つの筐体１００が必要とされる。おむつ４００それぞれの製造中に、レセプタクル２００のそれぞれが便利な場所に取り付けられ、検知ワイヤ４３０は、積層テールを介してレセプタクル２００の接点支持面上に支持されている。
【００８７】
一方で筐体１００は、電源、処理装置、メモリー、命令記憶装置、データ記憶装置、通信バス、及びデータリンクインターフェースのようなデータを記録する電子機器を格納し、及び／又は検知ワイヤ４３０からデータリンク５００、データ受信装置６００、データリンク７００を介して得られたデータを、協働して記憶し、処理し、及び／又はデータ処理装置８００へ転送する。データリンク５００が無線データリンクである場合には、そのような送信は迅速かつオンデマンドとすることができ、又は遅延式で、バッチ式に送信されて、電力又は通信コストを節約することができる。データ受信装置がドッキングステーションである場合には、記録電子機器は典型的にはデータを、ドッキングステーションを通じてダウンロードする前に、所定の期間、記憶する。
【００８８】
最初に、使用者は吸収性物品４００を取り付けられ、この吸収性物品にはレセプタクル２００が設けられており、記録電子機器を含む筐体１００はレセプタクルと係合する。レセプタクル及び筐体の接点が、したがって電気接続状態にもたらされ、筐体中の電子機器が、記録目的用の検知ワイヤにアクセスすることができる。
【００８９】
吸収性物品が交換されなければならないことが明白となると、記録電子機器を含む筐体は、介護者又は使用者によって、前述した解放プロセスによって容易に取り外され、吸収性物品は廃棄され、交換用レセプタクル２００を有する交換用吸収性物品が提供される。特定の使用者に関する記録電子機器を含む筐体１００は、次いで新しいレセプタクル２００と、前述の係合プロセスに従って係合させられ、それによって新しい吸収性物品４００の検知ワイヤ４３０に接続される。したがって、データの記録はただ１つの記録器によって継続され、一方で比較的廉価な吸収性物品を使用し、廃棄することができる。
【００９０】
したがって、使用者に関連する吸収性物品の状態をモニタし、その使用者に長時間に亘って関連するいくつかの異なる吸収性物品の状態さえモニタするシステムが、費用効果が高く便利なものとなる。
【００９１】
そのようなシステムは、居住用療養所、医療施設、保育施設、学校、強制施設、及び、個々人の又は多くの個人の失禁状態のモニタが必要とされる他の環境における用途が見い出されるであろう。
【００９２】
前述の実施形態及びそれらの変形体が、説明目的のみのために開示されてきており、さらなる変形体が当業者である読者の能力の範囲で完全に可能である。したがって、特許請求の範囲に記載された請求項は、当業者が前述の開示から、その一般的知識及び特別な知識並びに経験を考慮して達成することができるすべての変形、置換、代替、省略、及び追加の全てをカバーすることを意図されている。
【符号の説明】
【００９３】
１００          筐体
２００          レセプタクル
２０１          ベースフレーム、第１のフレーム部分
２２０          ベース面
２９６、３１６  クランプ面
２９７          第２の補助的なクランプ面
２９８          位置合わせ用突起
３００          第２のフレーム部分
３１０          タブ、指部
３１１          接点支持面
３１２          ノッチ
３１３          導電体ガイド
３１７          第１の補助的なクランプ面
３１８          位置合わせ用孔
４００          吸収性物品
１４０１        導電体
【図１】
2016522023.tif 000003
【図２】
2016522023.tif 000004
【図３】
2016522023.tif 000005
【図４】
2016522023.tif 000006
【図５】
2016522023.tif 000007
【図６】
2016522023.tif 000008
【図７】
2016522023.tif 000009
【国際調査報告】
2016522023.tif 000010
2016522023.tif 000011
2016522023.tif 000012